(57)【要約】【課題】表示装置の表示素子に発生した故障の状況に応じて、的確な処理を支援する故障処理支援装置を提供すること。【解決手段】表示素子が配列されて構成される表示装置で発生した表示素子の故障に対して、当該表示素子の交換処理を支援する故障処理支援装置３０において、当該表示装置の画面の中で、前記故障した表示素子と表示素子の交換が可能な箇所を代替箇所として判定する代替箇所判定部４４と、前記交換処理に関する指示を通知するものであって、当該指示として前記判定された代替箇所を通知する通知部４６とを備える。【選択図】図３
2014010602.tif 000002
【特許請求の範囲】
【請求項１】
表示素子が配列されて構成される表示装置で発生した表示素子の故障に対して、当該表示素子の交換処理を支援する故障処理支援装置において、
当該表示装置の画面の中で、前記故障した表示素子と表示素子の交換が可能な箇所を代替箇所として判定する代替箇所判定部と、
前記交換処理に関する指示を通知するものであって、当該指示として前記判定された代替箇所を通知する通知部とを備える
ことを特徴とする故障処理支援装置。
【請求項２】
前記表示装置は公営競技場に設置されて当該表示装置の画面にはレースのオッズ情報を含む画像が表示され、
前記代替箇所判定部は、前記画面上で前記オッズが表示されない箇所を前記代替箇所と判定する
ことを特徴とする請求項１に記載の故障処理支援装置。
【請求項３】
前記故障した表示素子は、複数の表示素子が配列された表示素子ユニットの単位で交換され、前記代替箇所判定部は、代替交換する表示素子ユニットの箇所を判定する
ことを特徴とする請求項２に記載の故障処理支援装置。
【請求項４】
前記代替箇所判定部は、前記オッズが表示されない箇所であって、さらに、付近に存在する他の表示素子ユニットでの故障数の少ない箇所を代替箇所として判定する
ことを特徴とする請求項３に記載の故障処理支援装置。
【請求項５】
前記代替箇所判定部は、前記表示素子ユニットの保守用在庫が所定数以上の場合には前記代替箇所の判定を行わず、前記表示素子ユニットの保守用在庫が所定数未満の場合に前記代替箇所の判定を行い、
前記通知部は、前記表示素子ユニットの保守用在庫が所定数以上の場合には、前記保守用在庫と交換するよう通知する
ことを特徴とする請求項３に記載の故障処理支援装置。
【請求項６】
前記故障した表示素子の属する表示素子ユニットを故障ユニットとし、当該故障ユニットを交換する重要度を判定する重要度判定部を備え、
前記重要度判定部は、前記故障ユニットが前記オッズの表示される箇所である場合には、重要度が高いと判定する
ことを特徴とする請求項３に記載の故障処理支援装置。
【請求項７】
前記故障ユニットの画面上の位置と前記表示装置の画面に表示される表示パターンを比較して、当該故障ユニットが前記オッズで表示される部分であるかを判断する表示パターン比較部を備える
ことを特徴とする請求項６に記載の故障処理支援装置。
【請求項８】
前記重要度判定部は、前記故障した表示素子が前記オッズの複数種類の数字の表示に対応する箇所の場合、及びまたは前記オッズの数字の誤認識につながるおそれが高い箇所の場合に、前記重要度が高いと判定する
ことを特徴とする請求項６に記載の故障処理支援装置。
【請求項９】
前記重要度判定部は、前記故障ユニットで故障した表示素子が所定数以上の場合に、前記重要度が高いと判定する
ことを特徴とする請求項６に記載の故障処理支援装置。
【請求項１０】
表示素子が配列された表示素子ユニットから構成される表示装置であって、当該表示装置で発生した当該表示素子の故障に対して、当該表示素子ユニット単位で行われる交換処理を支援する故障処理支援方法において、
前記故障した表示素子の属する表示素子ユニットと表示素子ユニットの交換が可能な箇所を代替箇所として、当該表示装置の画面の中でレースのオッズが表示されない箇所を当該代替箇所と判定し、
前記判定された代替箇所を通知する
ことを特徴とする故障処理支援方法。
【請求項１１】
表示素子が配列された表示素子ユニットから構成される表示装置であって、当該表示装置で発生した当該表示素子の故障に対して、当該表示素子ユニット単位で行われる交換処理を支援する方法をコンピュータに実行させる故障処理支援プログラムにおいて、
前記故障した表示素子の属する表示素子ユニットと表示素子ユニットの交換が可能な箇所を代替箇所として、当該表示装置の画面の中でレースのオッズが表示されない箇所を当該代替箇所と判定するステップと、
前記判定された代替箇所を通知するステップを含む
ことを特徴とする故障処理支援プログラム。
【発明の詳細な説明】
【技術分野】
【０００１】
本発明は、画像表示装置で故障した表示素子に対する保守技術に関する。
【背景技術】
【０００２】
発光ダイオードなどの発光素子や、透過もしくは反射光を開閉する液晶表示素子などの表示素子から成る画素を、マトリクス状に多数配置して表示面を形成した表示装置が知られている。この表示装置は、例えば野球場，競馬場，競技場，遊園地等のスコアボードや各種の表示用又は屋外広告用に用いられる。
【０００３】
このような屋外用の表示装置では、画素（ドット）を構成する表示素子をマトリクス状に所定数（例えば１６ｘ１６）配置して成る表示ユニットが、縦横方向に複数個配列されて表示盤を構成され、文字等を表示する場合には１ユニットで１文字を表示することが行われる。
【０００４】
表示装置の中でも、例えば公営競技（例えば競馬場）で使用する表示装置には、出走馬表示、オッズ表示やレース中継等いろいろな種類の画面が表示されるが、これら表示内容の中で、オッズ情報は特に重要な情報である。このオッズ情報が、表示されなくなったり、あるいは不鮮明であったりすると、利用者に大きな不便をかけるからである。そこで、競馬場等の公営競技で使用する表示システムでは、システム構成を二重化したり、各部品のアラーム検出機能を充実することで、故障時の対応に備えるようにしている。
【０００５】
図９、図１０を用いて、アラーム検出の一つであるＬＥＤユニットの故障（例えば、素子の断線や短絡）検知につき、従来の構成を簡単に説明する。図９は、映像制御装置で行われる従来の故障検知の構成を示すブロック図である。図１０は、故障が発生した場合に行われる故障処理のフローチャートである。
【０００６】
映像制御装置３００は、表示制御装置と映像制御ＰＣに接続される。表示制御装置は、映像制御装置３００から送信される映像信号に応じて、不図示の表示装置の各ＬＥＤユニットを駆動制御するものである。また、表示制御装置は、表示装置の各ＬＥＤドライバの素子駆動電流を監視し、表示装置のＬＥＤ素子の故障を検知し、故障の発生を映像制御装置３００に通知することも行う。
【０００７】
映像制御ＰＣは、映像制御装置３００に接続されて、映像制御装置３００への指示を入力する入力部と、映像制御装置３００から出力される指示や情報を表示する表示部を備える端末である。映像制御ＰＣは、指示に基づき映像制御装置３００に故障検知命令を発し、映像制御装置３００から通知される故障箇所を表示する。
【０００８】
映像制御装置３００は、表示制御装置と通信を行う送受信部３０２、故障結果を受信する結果受信部３０４、故障が発生した画面の箇所を特定する場所特定保存部３０６、映像制御ＰＣと通信を行う送受信部３０８を有する。場所特定保存部３０６は、特定した故障箇所を保存記憶し、故障箇所通知データを送受信部３０８に出力する。
【０００９】
そして、映像制御装置３００への指示の１つとして、映像制御ＰＣから映像制御装置３００に故障検知命令が送信され、故障検知された結果である故障箇所通知データが、映像制御装置３００から映像制御ＰＣに送信され、映像制御ＰＣに故障箇所が表示される。
【００１０】
図９のフローチャートを参照して処理を詳細に説明する。担当者の操作により、映像制御ＰＣから故障検知命令が映像制御装置３００に発せられる（ステップＳ１００）。故障検知命令は、送受信部３０８と送受信部３０２を介して、表示制御装置に送信される。表示制御装置は、表示装置のＬＥＤ素子の故障検知を行い、故障の発生したＬＥＤの情報を故障検知結果として送受信部３０２に送信する。
【００１１】
映像制御装置３００は、故障検知処理を行う（ステップＳ１０２）。表示制御装置に故障結果を送信するよう指示する。場所特定保存部３０６は、結果受信部３０４からの故障検知結果から故障有りかを判断する（ステップＳ１０４）。場所特定保存部３０６は、故障なしと判断すると（ステップＳ１０４ＮＯ）、場所特定保存部３０６は、正常データを作成して、送受信部３０８に出力する。送受信部３０８が正常データを映像制御ＰＣに通知する（ステップＳ１０６）。
【００１２】
場所特定保存部３０６は、故障有りと判断すると（ステップＳ１０４ＹＥＳ）、故障検知結果に基づき、画面での故障箇所の場所を特定する（ステップＳ１０８）。場所特定保存部３０６は、故障箇所通知データを作成して、送受信部３０８に出力する。送受信部３０８は、故障箇所通知データを映像制御ＰＣに通知する（ステップＳ１１０）。
【００１３】
映像制御ＰＣは、故障検知結果を画面に表示する（ステップＳ１１２）。故障がないと表示された場合には（ステップＳ１１４ＮＯ）、担当者は処理を終了する。故障が有ると表示された場合には（ステップＳ１１４ＹＥＳ）、現在表示装置が運用中（表示中）であるかを判断する（ステップＳ１１６）。運用中でなければ（ステップＳ１１６ＮＯ）、担当者は、故障したＬＥＤ素子を保守部品（ＬＥＤ）と交換する作業を行う（ステップＳ１２２）。運用中の場合には（ステップＳ１１６ＹＥＳ）、担当者は、表示画面を目視で確認して（ステップＳ１１８）、故障箇所が具体的に表示に影響するかを目視で確認する（ステップＳ１２０）。担当者が影響有りと判断した場合には（ステップＳ１２０ＹＥＳ）、運用中でも故障したＬＥＤ素子を保守部品（ＬＥＤ）と交換する処理を行う（ステップＳ１２２）。担当者が影響なしと判断した場合には（ステップＳ１２０ＮＯ）、運用終了後に故障したＬＥＤ素子を保守部品（ＬＥＤ）と交換する作業を行う（ステップＳ１２４）。
【００１４】
運用中に、故障したＬＥＤを交換するためには部分的に電源ＯＦＦする必要があり利用者への影響が大きいため、上述したステップＳ１１８、Ｓ１２０のように、保守員が目視でオッズ情報など重要な情報表示箇所に影響があるか目視で確認するが、運用中であるため全ての数字の確認をすることは非常に難しく判断に時間がかかってしまう。
【００１５】
そこで、目視によらずに、影響の大きさを簡単に判断する方法として、例えば、表示内容の重要度を判別してアラームを通知 する方法が提案されている（特許文献１）。
【先行技術文献】
【特許文献】
【００１６】
【特許文献１】特開２００７−１０１９９８号公報
【発明の概要】
【発明が解決しようとする課題】
【００１７】
前述したように、表示装置で故障した表示素子の保守には、故障の箇所によって緊急性を要したり、そうでない場合もあり、また保守するタイミングにも制約がある。このように、表示装置で故障した表示素子に対しては、様々な条件を判断して、的確な保守を行う必要があるが、作業者がこれを迅速に判断するのは容易でない。
【００１８】
本願発明は、上記課題に鑑み、表示装置の表示素子に発生した故障の状況に応じて、的確な処理を支援する故障処理支援装置を提供することを目的とする。  
【課題を解決するための手段】
【００１９】
上記目的を達成するために、故障処理支援装置は、表示素子が配列されて構成される表示装置で発生した表示素子の故障に対して、当該表示素子の交換処理を支援する故障処理支援装置において、当該表示装置の画面の中で、前記故障した表示素子と表示素子の交換が可能な箇所を代替箇所として判定する代替箇所判定部と、前記交換処理に関する指示を通知するものであって、当該指示として前記判定された代替箇所を通知する通知部とを備えるものである。
【発明の効果】
【００２０】
本発明によれば、表示装置の表示素子に発生した故障の状況に応じて、的確な処理を支援する故障処理支援装置を提供することができる。
【図面の簡単な説明】
【００２１】
【図１】表示システムの全体構成を示す図である。
【図２】ＬＥＤ表示盤１０に表示される画面の１例を示す図である。
【図３】映像制御装置３０の故障処理支援装置として機能する部分を示すブロック図である。
【図４Ａ】故障処理支援の流れを説明するフローチャートである。
【図４Ｂ】故障処理支援の流れを説明するフローチャートである。
【図５】縦横１６ｘ１６の表示素子からなる１つの表示素子ユニットで、数字に使用される箇所の例を示す図である。
【図６】縦横１６ｘ１６の表示素子からなる１つの表示素子ユニットで、複数の数字の表示で使用される箇所の例を示す図である。
【図７】数字に誤認識を生ずる可能性の高い故障の箇所の例を示す図である。
【図８】ＬＥＤ表示盤１０の全体画面の一部を示すもので、全体の故障発生状況から１つの代替箇所を決定する例を示す図である。
【図９】映像制御装置で行われる従来の故障検知の構成を示すブロック図である。
【図１０】故障が発生した場合に行われる故障処理のフローチャートである。
【発明を実施するための形態】
【００２２】
以下、図面に従って本発明の実施形態を説明する。図１は、表示システムの全体構成を示す図である。表示システムは、ＬＥＤ表示盤１０、表示制御装置２０、映像制御装置３０、出走馬／オッズ制御ＰＣ１０２、カメラ中継装置１０４、映像配信装置１０６、映像制御ＰＣ１０８から構成される。表示システムは、例えば野球場，競馬場，競技場，遊園地等のスコアボードや各種の表示用又は屋外広告用の画面の表示システムである。なお、以下では、表示素子としてＬＥＤを例にして説明するが、ＬＣＤ,プラズマ、有機ＬＥＤ等でも適用可能である。
【００２３】
ＬＥＤ表示盤１０は、ＬＥＤをマトリクス状に多数配置して表示面を形成した表示装置である。このような屋外用の表示装置は、表示素子（ＬＥＤ）が配列された表示素子ユニットの集合として構成される。表示ユニットは、画素（ドット）を構成する表示素子をマトリクス状に所定数（例えば縦横１６ｘ１６）配置して成るものである。このような表示ユニットが縦横方向に多数個配置してＬＥＤ表示盤１０が構成され、文字等を表示する場合には１表示ユニットで１文字を表示する。また、１表示素子は、ＲＧＢの３つの表示素子を有し、カラー表示を可能にする。またＬＥＤ表示盤１０には、各表示素子を駆動するＬＥＤドライバが設けられる。
【００２４】
表示制御装置２０は、映像信号に応じた画像をＬＥＤ表示盤１０に表示するように、ＬＥＤ表示盤１０の各表示素子を駆動するＬＥＤドライバに信号を出力する。表示制御装置２０は、ＬＥＤ表示盤１０をいくつかに分割した領域に対応して、分けられて（本例では、例えば３セット）備えられる。また、表示制御装置２０は、各ＬＥＤドライバのＬＥＤ表示信号（素子駆動電流）を検出して、表示素子の故障に関する信号（故障検知信号）を映像制御装置３０に出力する。ここで、表示素子の故障とは、表示素子の断線または短絡、あるいは、表示素子と基板（またはソケット）との接続部分での断線をいう。
【００２５】
映像制御装置３０は、各画像ソースから提供される画像信号を選択あるいはミックスして、ＬＥＤ表示盤１０に表示される画像信号を作成して、表示制御装置２０に出力する。また、映像制御装置３０は、ＬＥＤ表示盤１０で表示素子に故障が発生した場合に、故障した表示素子ユニットの交換処理を支援する故障処理支援装置としても機能する。
【００２６】
出走馬／オッズ制御ＰＣ１０２、カメラ中継装置１０４、映像配信装置１０６は、ＬＥＤ表示盤１０に表示される画像情報を映像制御装置３０に提供する画像ソースである。
出走馬／オッズ制御ＰＣ１０２は、出走馬やオッズに関する情報から、ＬＥＤ表示盤１０に表示される出走馬リストやオッズ表を作成して、例えばディスプレイの接続方式の標準規格の一つであるＤＶＩ（Digital Visual Interface）により映像制御装置３０に出力する。
【００２７】
カメラ中継装置１０４は、レース前には馬や場内の様子のカメラ画像、出走後はレース中のカメラ画像を例えばＨＤ−ＳＤＩ（High Definition Serial Digital Interface）により映像制御装置３０に出力する。映像配信装置１０６は、コマーシャルあるいはＬＥＤ表示盤１０に表示させる場内の注意事項等の情報を例えばＨＤ−ＳＤＩにより映像制御装置３０に配信する。
【００２８】
映像制御装置３０は、これら画像ソースを状況に応じて切り替えあるいは画面で領域を分けて表示する。例えば、出走前にはオッズ情報や馬の様子を表示し、出走後はレース場面を中継し、レー終了後はレース結果や配当金を表示するようにする。
【００２９】
また、映像制御ＰＣ１０８は、映像制御装置３０への指示を入力する入力部と、映像制御装置３０から出力される指示や情報を表示する表示部を備える端末である。例えばＲＳ２３２ｃにより映像制御装置３０に接続される。
【００３０】
図２は、ＬＥＤ表示盤１０に表示される画面の１例を示す図である。画面の左半分には、レースの出走馬名と騎手が順番に列記表示され、右側には各オッズが表示される。オッズとは、競馬・競輪などの概算配当率あるいは予想配当で、賭け金に対する倍率で示される。
【００３１】
ここで、表示素子の故障処理の支援の概略を説明する。担当者からの映像制御ＰＣ１０８への指示あるいはタイマーによって、故障検知命令が映像制御装置３０に送信される。映像制御装置３０は、表示制御装置２０に故障検知命令を伝える。
【００３２】
表示制御装置２０は、ＬＥＤ表示盤１０の各表示素子の駆動電流を検出して、故障している表示素子を検出して、故障表示素子の箇所を示す故障検知信号を映像制御装置３０に送信する。ＬＥＤ表示盤１０で、いずれかの表示素子で故障が発生すると、対応するＬＥＤドライバのＬＥＤ表示信号（素子駆動電流）が０になるからである。
【００３３】
映像制御装置３０は、表示制御装置２０から故障検知信号を受信したら、故障している表示素子の場所等やＬＥＤ表示盤１０の現在の運用状況に応じて、表示素子の交換処理の具体的内容を選択して、映像制御ＰＣ１０８にメッセージを通知する。映像制御ＰＣ１０８は、映像制御装置３０からの通知内容を画面に表示し、担当者は、その通知内容に基づき、適切な故障への対応をすることができる。以下に、映像制御装置３０内で行われる故障発生時の支援処理を詳述する。なお、以下では故障表示素子の交換処理として、表示素子ユニットの単位での交換例を説明するが、表示素子の単位で交換するようにしても当然によい。
【００３４】
図３は、映像制御装置３０の故障処理支援装置として機能する部分を示すブロック図である。映像制御装置３０は、送受信部３２、結果受信部３４、場所特定保存部３６、メモリ３８、表示パターン比較部４０、重要度判定部４２、代替箇所判定部４４、通知データ編集部４６、送受信部４８を有する。
【００３５】
送受信部３２は、表示制御装置２０へ映像信号や故障検知命令を送信し、故障検知命令を受けて表示制御装置２０から映像制御装置３０へ送信される故障検知信号を受信するものである。表示制御装置２０は、故障検知信号として、故障した表示素子の画面での位置データ（故障箇所情報）を送信する。結果受信部３４は、表示制御装置２０から受信した故障検知信号を受け取り、場所特定保存部３６に出力するものである。
【００３６】
場所特定保存部３６は、故障の発生した表示素子の箇所を特定し、故障箇所の情報を保存させるものである。場所特定保存部３６は、故障検知信号に基づき、故障した表示素子の箇所を特定する。場所特定保存部３６は、故障表示素子の箇所と発見された日時等をメモリ３８に記憶させる。また、場所特定保存部３６は、故障検知結果として、故障箇所が発見されない場合、あるいは今回の検知では新たな故障箇所が発見されなかった場合には、正常通知データを送信する。
【００３７】
メモリ３８は、数字表示パターン、重要度データ、故障状況データ、代替箇所のデータ、新品在庫のデータ等を記憶する。数字表示パターンは、画面上で表示されるオッズ情報等の数字表示のパターンである。図２で示したように、ＬＥＤ表示盤１０では、オッズ情報等の数字は画面の定位置に表示される。
【００３８】
重要度データは、後述する重要度判定部４２で重要度に基づいて故障したユニット（以下、故障ユニットとも称す）を交換するかの可否判断をするが、この重要度を判断するためのデータである。重要度の判断基準として、
１）数字／文字を表示する表示素子ユニットは重要度が高い。
２）特にオッズの数字を表示する表示素子ユニットは、さらに重要度が高い。
３）また、数字が表示される表示素子ユニットの中で、故障した表示素子が、何種類の数字に使用されるものであるかで、重要度が異なる。１つの数字でしか使用されない箇所よりも複数の数字で使用される箇所の方が重要度は高い。詳細は、図６で説明する。
４）また、数字が表示される表示素子ユニットの中で、故障した表示素子が、その箇所が故障すると数字を誤認識するおそれのある箇所か。誤認識するおそれのある箇所であれば、重要度が高い。詳細は、図７で説明する。
このような観点から、ＬＥＤ表示盤１０の各表示素子ユニットとその表示素子について、予め重要度が設定され、その重要度が重要度データとして記憶されている。
【００３９】
故障状況データは、故障した表示素子及びこの故障した表示素子の属する表示素子ユニットの画面上での箇所(アドレス)のデータである。各故障が検知された日時も合わせて記録される。
【００４０】
代替箇所データは、故障した表示素子の属する表示素子ユニット（故障ユニット）と交換可能な表示素子ユニットの候補を示すデータである。故障ユニットは、新品の表示素子ユニットに交換するのが望ましいが、表示システムの使用が長期間に渡ると、表示素子の製造が打ち切りになって、新品の表示素子が入手できなくなる可能性もある。そこで、故障ユニットが画面上で重要な箇所の場合には、他の重要性の低い箇所と交換して対応することも必要になる。そこで、予め、相対的に重要性が低く代替候補となる箇所を、代替箇所データとして記憶しておく。
【００４１】
前述のように、ＬＥＤ表示盤１０では、オッズ等の文字数字表示箇所は予め定められていて、この文字数字表示箇所以外の箇所は、例えば動画の表示領域として利用されるだけなので、一部に表示欠陥（故障）が発生しても、目立ちにくい。このような箇所であれば、故障ユニットと交換しても差し支えないので、代替候補に選択される。
【００４２】
新品在庫データは、故障した表示素子への交換用の保守部品として別途保管されている表示素子あるいは表示素子ユニットの在庫数である。なお、保守部品としては、新品に限定することはなく、中古であってもよい。
【００４３】
表示パターン比較部４０は、特定された故障箇所とメモリ３８に記憶された数字表示パターンを比較して、故障箇所が数字表示に含まれるかを判断し、比較結果を重要度判定部４２に通知する。
【００４４】
重要度判定部４２は、メモリ３８に記憶された重要度データに基づき、故障箇所を交換する重要度を判断する。例えば、
１）重要度判定部４２は、故障ユニットが前記オッズの表示される箇所である場合には、重要度が高いと判定する。
２）故障した表示素子がオッズの複数種類の数字の表示に対応する箇所の場合、重要度が高いと判定する。
３）オッズの数字の誤認識につながるおそれが高い箇所の場合に、重要度が高いと判定する。
重要度判定部４２は、これら個別の重要度を単独あるいは組み合わせて、最終的な重要度を算定する。
【００４５】
代替箇所判定部４４は、故障した表示素子の属する表示素子ユニットと交換可能な表示素子ユニットの箇所を代替箇所として、当該表示装置の画面の中から代替箇所を判定する。前述のように、新品の表示素子ユニットの入手が困難な場合もあり、そのような場合にも対処するためである。例えば、代替箇所判定部４４は、オッズが表示されない箇所であって、かつ付近の表示素子ユニットで故障数の少ない箇所を代替箇所として判定する。
【００４６】
また、代替箇所判定部４４は、表示素子ユニットの保守用在庫数に応じて代替箇所の判定を行う。つまり、代替箇所判定部４４は  保守用在庫数が所定数以上の場合には前記代替箇所の判定を行わず、表示素子ユニットの保守用在庫が所定数未満の場合に前記代替箇所の判定を行う。保守用在庫は、メモリ３８に記憶された新品在庫データをさす。ただし、保守用在庫は、新品に限ることはなく、中古であってもよい。
【００４７】
通知データ編集部４６は、交換処理に関する指示を通知するものであって、当該指示として前記判定された代替箇所を通知する通知部である。通知データ編集部４６は、故障検知命令の結果による映像制御ＰＣ１０８に通知する通知データを編集して、送受信部４８に出力する。通知データ編集部４６は、故障検知命令の結果、場所特定保存部３６から正常通知データが出力されてきた場合には、正常である旨のメッセージを編集して送受信部４８に出力する。また、通知データ編集部４６は、故障がある場合には、代替箇所判定部４４から出力される故障通知データに基づき、故障数や故障箇所及び交換指示に関する内容のメッセージを編集して送受信部４８に出力する。
【００４８】
送受信部４８は、通知データ編集部４６からの各種メッセージを映像制御ＰＣ１０８に送信する。具体的な処理の流れを以下で説明する。
図４（Ａ）、図４（Ｂ）は、故障処理支援の流れを説明するフローチャートである。担当者により映像制御ＰＣ１０８に故障検知命令が入力されると、映像制御ＰＣ１０８から映像制御装置３０に故障検知命令が送信される（ステップＳ１０）。なお、故障検知命令は、一定時間ごとに映像制御ＰＣ１０８から自動的に発せられるようにしてもよい。映像制御装置３０は、表示制御装置２０に故障検知を指示する。表示制御装置２０は、ＬＥＤ表示盤１０の各表示素子の駆動電流を検出して、故障している表示素子を検出して、故障検知信号を映像制御装置３０に送信する。
【００４９】
送受信部３２は、表示制御装置２０からの故障検知信号を受信する。映像制御装置３０は、表示制御装置２０から送信された故障検知信号に応じて故障検知処理を行う（ステップＳ１２）。送受信部３２を経由して結果受信部３４から出力された故障検知結果に基づき、場所特定保存部３６は、故障が有るか否かを判断する（ステップＳ１４）。
【００５０】
場所特定保存部３６は、故障がないと判断すると（ステップＳ１４ＮＯ）、故障の発生がないという正常通知データを通知データ編集部４６に出力する。通知データ編集部４６は、対応するメッセージを作成編集して、送受信部４８が編集されたメッセージを映像制御ＰＣ１０８に送信する（ステップＳ１６）。例として、「故障はありません」という結果表示のメッセージが映像制御ＰＣ１０８に送信される。
【００５１】
場所特定保存部３６は、故障が有ると判断すると（ステップＳ１４ＹＥＳ）、故障の場所（箇所）を特定して（ステップＳ１８）、その箇所をメモリ３８に記憶させる。故障ユニットのアドレスとその中での故障素子の位置である。また、場所特定保存部３６は、故障した表示素子の属する表示素子ユニットで、ｎドット（個）以上不良（故障）が発生しているかを判断する（ステップＳ２０）。
【００５２】
場所特定保存部３６は、故障の発生した表示素子ユニットで、ｎドット以上不良発生していると判断すると（ステップＳ２０ＹＥＳ）、通知データ編集部４６は故障箇所及び表示素子ユニットの交換を指示する内容のメッセージを編集し、送受信部４８は、このメッセージを映像制御ＰＣ１０８に送信する（ステップＳ３８）。例えば、１６ｘ１６の表示素子ユニットにおいて、５ドット以上故障が発生した場合である。その表示素子ユニットがオッズで使用される否かに関わらず、せまいエリアに欠陥ドットが所定数以上あると、観客にも故障と気づかれる可能性が高いからである。例として、「アドレスＡＡのＬＥＤユニットを新品と交換して下さい」という結果表示のメッセージが映像制御ＰＣ１０８に送信される。
【００５３】
場所特定保存部３６は、故障の発生した表示素子ユニットで、ｎドット以上の不良は発生していないと判断すると（ステップＳ２０ＮＯ）、表示パターン比較部４０が故障箇所がオッズで使用するドット（箇所）であるかを判断する（ステップＳ２２）。表示パターン比較部４０が、メモリ３８に記憶された数字表示パターンと今回の故障箇所を比較することで行われる。  
【００５４】
オッズの情報、特に数字は重要な情報で、認識できないあるいは誤認識されると、影響が大きいからである。故障箇所がオッズで使用されるドット（箇所）である場合には、故障箇所の交換修理の緊急性が高くなる。なお、オッズで使用するドット（箇所）とは、オッズで使用される表示素子ユニットの中で、実際に数字等表示は用いられる箇所をさし、オッズの表示ユニットに属する表示素子であっても、数字等表示に寄与しない表示素子であれば、該当しない。
【００５５】
表示パターン比較部４０によって故障箇所がオッズで使用するドット（箇所）でないと判断されると（ステップＳ２２ＮＯ）、重要度判定部４２は、故障ユニットを交換する重要度が低いとして、故障箇所の交換の必要はなしと判定する。そして、通知データ編集部４６は故障箇所と交換の必要なしを指示する内容のメッセージを編集し、送受信部４８は、このメッセージを映像制御ＰＣ１０８に送信する（ステップＳ２４）。例として、「交換の必要はありません。ただし、アドレスＡＡに赤色ＬＥＤに故障が１ドットあります」という結果表示のメッセージが映像制御ＰＣ１０８に送信される。
【００５６】
故障箇所がオッズで使用するドット（箇所）であると判断されると（ステップＳ２２ＹＥＳ）、重要度判定部４２は、故障ユニット内の故障数が設定以上かを判定する（ステップＳ２６）。例えば、１６ｘ１６の表示素子ユニットにおいて、２つ以上の表示素子で故障が発生した場合である。故障数が設定以上でないと判断すると（ステップＳ２６ＮＯ）、前述したステップＳ２４の処理を行う。
【００５７】
重要度判定部４２は、故障ユニット内の故障数が設定以上であると判断すると（ステップＳ２６ＹＥＳ）、故障箇所の具体的な表示内容に応じて、その中にさらに重要度「高」を含む故障があるかを判定する（ステップＳ２８）。重要度「高」は、例えば、複数の数字の表示で使用される箇所や、その箇所が故障するとその数字を誤認識してしまうような箇所である。
【００５８】
「複数の数字の表示で使用される箇所について」の例を図５を用いて説明する。図５は、縦横１６ｘ１６の表示素子からなる１つの表示素子ユニットで、オッズの１つの数字に使用される部分である。１マスが１の表示素子に相当する。図５（Ａ）は、０−９の数字の表示に用いられる表示素子の箇所を黒で示すものである。例えば、ｐで示す箇所は、数字表示に利用される箇所であるので、ｐが故障箇所とすると、重要度判定部４２は、重要度は高いと判定する。図５（Ｂ）は、０と５の表示に用いられる表示箇所を黒で示すものである。０と５しか用いない表示素子ユニットで表示に使用されないｑで示す箇所が、故障箇所の場合には、重要度判定部４２は、重要度は低いと判定する。
【００５９】
図６は、縦横１６ｘ１６の表示素子ユニットで、複数の数字の表示で使用される箇所の例を示す図である。１６ｘ１６の表示素子ユニットで、１，２，３の各数字を表示する場合に使用される頻度を示す。「１」と表記された箇所は、１，２，３の数字の中で１種類の数字でしか使用されない箇所である。「２」と表記された箇所は、１，２，３の数字の中で２種類の数字で使用される箇所である。「３」と表記された箇所は、１，２，３の数字の中で３種類の数字全てで使用される箇所である。従って、３種類の数字の全てで使用される「３」が記載された箇所が、故障箇所の場合には、重要度判定部４２は、重要度は高いと判定する。
【００６０】
図７は、数字に誤認識を生ずる可能性の高い故障の箇所の例を示す図である。図７（Ａ）は、縦横１６ｘ１６の表示素子ユニットで、数字の「６」と「８」の表示に用いられる箇所を黒く表示して示す。図７（Ｂ）及び図７（Ｃ）は、「８」、「６」の表示をそれぞれ単独で示す。図７（Ｂ）において、ｒで示す箇所の全てあるいは一部分が故障したとすると、「８」が「６」と区別がつきにくくなる。ｒで示す箇所は、前述のように複数の数字で使用される箇所ではないが、故障によって誤認識につながるので、故障箇所がこのような箇所の場合も、重要度判定部４２は、重要度は高いと判定する。
【００６１】
重要度判定部４２が、メモリ３８の重要度データを参照して、故障箇所が重要度「高」を含むかを判定する。重要度判定部４２が、故障箇所が重要度「高」を含まないと判定すると（ステップＳ２８ＮＯ）、ステップＳ２４に進み、前述した処理を行う。
【００６２】
重要度判定部４２が、故障箇所が重要度「高」を含むと判定すると（ステップＳ２８ＹＥＳ）、代替箇所判定部４４が、メモリ３８の代替箇所データを参照して、代替箇所があるかを判定する（ステップＳ３０）。代替箇所判定部４４が、故障ユニットと交換可能な代替箇所がないと判定すると（ステップＳ３０ＮＯ）、ステップＳ３８に進み、前述した処理を行う。例として、「アドレスＡＡのＬＥＤユニットを新品と交換して下さい」という結果表示のメッセージが映像制御ＰＣ１０８に送信される。
【００６３】
代替箇所判定部４４が代替箇所があると判定し（ステップＳ３０ＹＥＳ）、メモリ３８の代替箇所データから代替箇所が複数見つかった場合には、さらに、代替箇所判定部４４は、複数見つかった代替箇所を代替候補箇所として、その中から、全体の故障発生状況に基づいて、１つの代替箇所を判定する（ステップＳ３２）。
【００６４】
具体的には、代替箇所判定部４４は、複数の代替候補箇所の中で、周囲で故障の発生していない、あるいは故障発生が少ない代替候補箇所を代替箇所に選ぶ。代替箇所が故障している表示素子ユニットに交換されても、代替箇所付近で表示欠陥が目立つことがないようにするためである。図８を参照して説明する。
【００６５】
図８は、ＬＥＤ表示盤１０の画面の一部を表示素子ユニットの単位で示すもので、代替候補箇所と故障ユニットの位置を示すマップである。図８は、表示素子ユニットが縦１６ｘ横２４に配列された画面の一部である。１つの最少エリア（例えばＡ２２）が、前述の１６ｘ１６の素子からなる１の表示素子ユニットを示す。この縦１６ｘ横２４の領域を、１つを８ｘ８の表示素子ユニットのブロックとして、Ａ〜Ｆの６つのブロックに分ける。
【００６６】
代替箇所判定部４４は、メモリ３８から代替箇所データを読み出す。図８でグレーに塗りつぶされた箇所が、代替候補（表示素子ユニット）として読み出された箇所である。代替候補は、Ａブロック：０箇所、Ｂブロック：０箇所、Ｃブロック：１箇所（Ｃ２４）、Ｄブロック：２箇所（Ｄ３３、Ｄ７３）、Ｅブロック：０箇所、Ｆブロック：１箇所（Ｆ３２）である。
【００６７】
代替箇所判定部４４は、メモリ３８から故障発生状況データを読み出し、周囲で故障の発生していない代替候補を代替箇所に選ぶ。本例では、代替候補の属するブロック単位で判定する。図８で斜線で示された箇所（Ａ７３，Ｃ６２、Ｄ２６、Ｄ６７）が、すでに故障している箇所（故障ユニット）である。各ブロックの故障発生数は、Ａブロック：１箇所、Ｂブロック：０箇所、Ｃブロック：１箇所、Ｄブロック：２箇所、Ｅブロック：０箇所、Fブロック：０箇所である。
【００６８】
代替箇所判定部４４は、一番故障発生が少ないブロックに属する代替候補を、代替箇所として判定する。代替候補があるＣ、Ｄ、Ｆブロックの中で、Ｆブロックの故障数が一番少ないので、代替箇所判定部４４は、ＦブロックのＦ３２を代替箇所と判定する。
【００６９】
さらに、代替箇所判定部４４は、新品在庫の残数が設定以上あるかを判断する（ステップＳ３４）。表示素子ユニットの新品在庫が十分にある場合には、目立たなくてもドット欠陥が存在してしまう代替交換よりも、新品に交換する方が望ましいからである。代替箇所判定部４４は、新品在庫の残数が設定以上（例えば５台）あると判断すると（ステップＳ３４ＹＥＳ）、ステップＳ３８に進み、前述した処理を行う。例として、「アドレスＡ７３のＬＥＤユニットを新品と交換して下さい」という結果表示のメッセージが映像制御ＰＣ１０８に送信される。
【００７０】
一方、代替箇所判定部４４は、新品在庫の残数が設定以上ではないと判断すると（ステップＳ３４ＮＯ）、ステップＳ３６に進む。ステップＳ３６では、故障箇所、代替交換場所、交換指示通知がなされる。代替箇所判定部４４は、確定した代替箇所のアドレスを通知データ編集部４６に通知する。通知データ編集部４６は、メッセージとして、例えば「Ａ７３のＬＥＤユニットをＦ３２のＬＥＤユニットと交換して下さい」等のメッセージを作成して、送受信部４８から映像制御ＰＣ１０８にこのメッセージが通知される。
【００７１】
ステップＳ１６、ステップＳ２４、ステップＳ３６、ステップＳ３８から、図４Ｂのステップ５０に進む。映像制御ＰＣ１０８は、映像制御装置３０から送信された故障検知結果（メッセージ）を表示する（ステップＳ５０）。担当者は、画面で交換指示があるかを判断し（ステップＳ５２）、交換指示がある場合には（ステップＳ５２ＹＥＳ）、画面指示に従い、故障ユニットの新品在庫との交換あるいは代替箇所との交換を行う（ステップＳ５４）。交換により保守処理が終了する。また、交換指示がない場合には（ステップＳ５２ＮＯ）、それで処理を終了する。また、交換は、原則として運用終了後に行われるが、故障箇所が重要箇所の場合には、運用中であっても交換を行うようにする。
【００７２】
以上説明した実施形態により、少なくとも以下の効果が奏せられる。
１）経年劣化によりドット不良が増え、保守部品が枯渇（製造中止等）した場合でも、交換可能な他の箇所が通知されるので、使いまわすことによって、長期間にわたって表示システムを運用することができる。
２）交換可能な箇所として、表示への影響の少ない箇所が提示されるので、交換によって表示品質が低下することが抑えられる。
３）オッズ表示など数字情報に使用しない箇所のドット不良の場合は、直ちに交換することを指示しないので、保守員の負担を軽減することができる。
４）ドット不良による表示画面への影響を判定するので、運用中にドット不良が発生した場合でも、保守員の目視での確認作業が不要になり、保守員の作業時間が短縮される。
【００７３】
また、上記説明した実施形態につき、以下の変形が可能である。
１）表示素子としてＬＥＤを用いた例を説明したが、適用される表示素子はＬＥＤに限るものではなく、ＬＣＤや有機ＥＬ等であってもよい。
２）代替候補箇所に中から代替箇所を判定する場合の全体の故障発生状況として、ブロック単位で故障ユニット数の少ない代替箇所を判定する例を示したが、これに限るものではない。代替候補箇所を中心として所定画素のエリアでの故障数で判定してもよい。また、画面の中央よりも隅の方が一般的にドット不良の影響は少ないので、隅の方を代替箇所として優先するようにしてもよい。
３）また、故障ユニットと交換する保守部品は、必ずしも新品である必要はなく、中古品でもかまわない。
４）ステップＳ２２（オッズの使用）、ステップＳ２６（故障数）、ステップＳ２８（重要度）、ステップＳ３０（代替交換）とステップＳ３４（在庫の判断）等の判断や判定の順番は、これに限定されるものではない。入れ替えあるいは逆にしてもよい。
５）上記説明では、カラー態様については特に説明しなかったが、重要度の判断でカラーの要素を加えてもよい。例えば、故障ＬＥＤの色が、オッズで使用される色に影響する色である場合には、重要度が高いと判定する。
６）故障処理支援装置を、映像制御装置３０にハードウエアとして備えられる代替箇所判定部４４等によって実現されるよう説明したが、これに限るものではなく、支援装置全体あるいはその一部をソフトウェアで実現するようにしてもよい。映像制御装置３０がコンピュータにより構成され、メモリ３８に故障処理支援用のプログラムを記憶されておき、これを読込んで、各処理を実行するようにしてもよい。プログラムを読込んで実行するコンピュータが故障処理支援装置となる。
【００７４】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組合わせても良い。さらに、異なる実施形態にわたる構成要素を適宜組合わせてもよい。このような、発明の趣旨を逸脱しない範囲内において種々の変形や応用が可能であることはもちろんである。
【符号の説明】
【００７５】
１０  ＬＥＤ表示盤
２０  表示制御装置
３０  映像制御装置
３２  送受信部
３４  結果受信部
３６  場所特定保存部
３８  メモリ
４０  表示パターン比較部
４２  重要度判定部
４４  代替箇所判定部
４６  通知データ編集部
４８  送受信部
１０２  出走馬／オッズ制御ＰＣ
１０４  カメラ中継装置
１０６  映像配信装置
１０８  映像制御ＰＣ
３００  映像制御装置
３０２  送受信部
３０４  結果受信部
３０６  場所特定保存部
３０８  送受信部
【図１】
2014010602.tif 000003
【図３】
2014010602.tif 000004
【図４Ａ】
2014010602.tif 000005
【図４Ｂ】
2014010602.tif 000006
【図９】
2014010602.tif 000007
【図１０】
2014010602.tif 000008
【図２】
2014010602.tif 000009
【図５】
2014010602.tif 000010
【図６】
2014010602.tif 000011
【図７】
2014010602.tif 000012
【図８】
2014010602.tif 000013